【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
ライトバーであって、
複数のＵＶライトを備えるとともに、該複数のＵＶライトのうちの少なくとも２つは異なるＵＶ光出力を有する着脱可能な紫外線（ＵＶ）ライトバーと、
電源に接続するためのコネクタとを備え、
前記着脱可能なＵＶライトバーは、前記コネクタに接続可能に取付け可能なコントローラによって制御され、該コントローラは、ネイルジェル調合剤を硬化させるように前記複数のＵＶライトを制御するように構成されているライトバー。
【請求項２】
前記複数のＵＶライトのうちの少なくとも１つは発光ダイオード（ＬＥＤ）ライトである請求項１に記載のライトバー。
【請求項３】
前記複数のＵＶライトは、３９５ｎｍの波長を出力するように動作可能な第１のＵＶ  ＬＥＤライトと、３６５ｎｍの波長を出力するように動作可能な第２のＵＶ  ＬＥＤライトとを含み、前記コントローラは、硬化される前記ネイルジェル調合剤に応じて前記第１又は第２のＵＶ  ＬＥＤを動作させる請求項１に記載のライトバー。
【請求項４】
前記複数のＵＶライトのうちの少なくとも１つは冷陰極ライトである請求項１に記載のライトバー。
【請求項５】
前記複数のＵＶライトのうちの少なくとも１つは小型蛍光灯である請求項１に記載のライトバー。
【請求項６】
前記コントローラがモバイル電子デバイスに一体化された請求項１に記載のライトバー。
【請求項７】
前記モバイル電子デバイスが前記電源を組み込む請求項６に記載のライトバー。
【請求項８】
前記コントローラはさらに、コンテンツにアクセスするとともに、該コンテンツの少なくとも一部を前記ライトバーのユーザに表示するように構成されている請求項１に記載のライトバー。
【請求項９】
前記コンテンツが、広告または助言のうちの少なくとも一方を含む請求項８に記載のライトバー。
【請求項１０】
前記コンテンツがネットワークにわたってアクセスされる請求項８に記載のライトバー。
【請求項１１】
前記ネットワークがワイドエリアネットワークを含む請求項１０に記載のライトバー。
【請求項１２】
ネイルジェル調合剤を硬化させる方法であって、
処理デバイスによって前記ネイルジェル調合剤を識別することと、
前記ネイルジェル調合剤を硬化させるように紫外線（ＵＶ）ライトアセンブリを設定することとを含む方法。
【請求項１３】
前記ネイルジェル調合剤を識別することは、
前記ネイルジェル調合剤の製品容器の画像を取得することと、
前記画像から製品コードを識別することと、
前記ネイルジェル調合剤の硬化設定を決定するために前記製品コードを使用することと
を含み、
前記ＵＶライトアセンブリを設定することは、前記硬化設定を用いることを含む請求項１２に記載の方法。
【請求項１４】
前記画像を取得することは、前記処理デバイスに内蔵されたカメラによって行われる請求項１３に記載の方法。
【請求項１５】
前記画像から前記製品コードを識別することは、前記製品コードを取得するために、前記画像に含まれるバーコードを識別すること及び解析することを含む請求項１３に記載の方法。
【請求項１６】
硬化設定を決定するために前記製品コードを使用することは、
前記製品コードを、前記硬化設定を取得するためのクエリと共に遠隔のデータストアに送信することと、
前記遠隔のデータストアから前記硬化設定を受信することとを含む請求項１３に記載の方法。
【請求項１７】
前記硬化設定は硬化時間を含む請求項１３に記載の方法。
【請求項１８】
前記硬化設定は目標波長を含む請求項１３に記載の方法。
【請求項１９】
前記ネイルジェル調合剤を識別することは、前記ネイルジェル調合剤を識別するためにユーザの入力を受信することを含む請求項１２に記載の方法。
【請求項２０】
前記ネイルジェル調合剤を硬化させることと同時に、前記処理デバイスのユーザにプレゼンテーションを表示することを更に含む請求項１２に記載の方法。
【請求項２１】
前記プレゼンテーションはタイマを含み、該タイマは、前記ネイルジェル調合剤を硬化させるための残り時間を示す請求項２０に記載の方法。
【請求項２２】
前記プレゼンテーションは、広告または助言のうちの少なくとも一方を含む請求項２０に記載の方法。
【請求項２３】
命令を含む非一時的なコンピュータ可読媒体であって、
前記命令は、コンピュータにおいて実行されると、該コンピュータに対して、
前記コンピュータのユーザのユーザ識別を取得するためにログインインタフェースを提示させ、
ネイル製剤を識別させ、
前記ユーザの前記ネイル製剤の塗布を硬化させるように紫外線（ＵＶ）ライトアセンブリを設定させる、非一時的なコンピュータ可読媒体。
【請求項２４】
前記ユーザの識別および前記ネイル製剤の識別を遠隔のデータストアに送信するための命令を更に含む請求項２３に記載の非一時的なコンピュータ可読媒体。
【請求項２５】
前記コンピュータの位置を取得するための命令と、
該位置を遠隔のデータストアに送信するための命令とを更に含む請求項２３に記載の非一時的なコンピュータ可読媒体。
【請求項２６】
位置特有のデータを前記遠隔のデータストアから受信するための命令と、
該位置特有のデータの少なくとも一部を前記ユーザに提示するための命令とを更に含む請求項２５に記載の非一時的なコンピュータ可読媒体。
【請求項２７】
前記位置特有のデータは、前記ユーザに近接する施設の広告を含む請求項２６に記載の非一時的なコンピュータ可読媒体。
【手続補正２】
【補正対象書類名】明細書
【補正対象項目名】００３３
【補正方法】変更
【補正の内容】
【００３３】
記憶デバイス６１６は、本明細書において記載される方法または機能のいずれか１つ又は複数を具現化するか、またはこれらによって使用されるデータ構造および命令６２６（例えばソフトウェア）の１つまたは複数の集合が記憶されたマシン可読媒体６２４を含む。命令６２６は、コンピュータシステム６００によるその実行中において、メインメモリ６０４内、スタティックメモリ６０６内、およびプロセッサ６０２内のうちの少なくとも何れか１つにおいて、完全にまたは少なくとも部分的に存在することが可能であり、メインメモリ６０４、スタティックメモリ６０６およびプロセッサ６０２もマシン可読媒体を構成するものである。
【手続補正３】
【補正対象書類名】明細書
【補正対象項目名】００３４
【補正方法】変更
【補正の内容】
【００３４】
マシン可読媒体６２４は、例示的な実施形態には単一の媒体として示されているが、「マシン可読媒体」という用語は、１つまたは複数の命令６２６を記憶する単一の媒体または複数の媒体（例えば、集中型若しくは分散型データベース並びに関連するキャッシュおよびサーバ、あるいは、集中型若しくは分散型データベースまたは関連するキャッシュおよびサーバ）を含むことが可能である。「マシン可読媒体」という用語は、マシンが実行する命令を記憶、符号化または伝送することが可能であり、かつ、マシンに対して、本開示の方法のうちのいずれか１つまたは複数を行わせるか、または、そのような命令が使用するか若しくはそのような命令に関連するデータ構造を記憶、符号化若しくは伝送することが可能な、任意の有形媒体を含むようにも解釈されるべきである。「マシン可読媒体」という用語はしたがって、ソリッドステートメモリ並びに光媒体および磁気媒体を含むように解釈されるべきであるが、これらに限定されるものではない。マシン可読媒体の特定の例としては、半導体メモリデバイス（例えば、電気的にプログラム可能なリードオンリーメモリ[ＥＰＲＯＭ]、電気的に消去可能かつプログラム可能なリードオンリーメモリ[ＥＥＰＲＯＭ]）およびフラッシュメモリデバイス、内蔵ハードディスクおよびリムーバブルディスク等の磁気ディスク、光磁気ディスク、並びに、ＣＤ−ＲＯＭおよびＤＶＤ−ＲＯＭディスクを含む不揮発性メモリが挙げられる。
【手続補正４】
【補正対象書類名】明細書
【補正対象項目名】００３５
【補正方法】変更
【補正の内容】
【００３５】
命令６２６は更に、伝送媒体を使用することにより、複数の既知の転送プロトコル（例えばＨＴＴＰ）のうちのいずれか１つを使用するネットワークインタフェースデバイス６２０を介して、通信ネットワーク６２２に送信または受信することが可能である。通信ネットワークの例としては、ローカルエリアネットワーク（ＬＡＮ）、ワイドエリアネットワーク（ＷＡＮ）、インターネット、携帯電話ネットワーク、基本電話（ＰＯＴＳ）ネットワーク、及び無線データネットワーク（例えばＷｉ−Ｆｉ、３Ｇ並びに４Ｇ  ＬＴＥ／ＬＴＥ−ＡまたはＷｉＭＡＸネットワーク）が挙げられる。「伝送媒体」という用語は、マシンが実行する命令を記憶、符号化または伝送することが可能であり、且つ、そのようなソフトウェアの通信を容易にするデジタル若しくはアナログ通信信号または他の無形媒体を含む、任意の無形媒体を含むように解釈されるべきである。